(57)【要約】【課題】  複数のスクイブを備える場合、スクイブの個数分の配線を必要としない着火装置を提供することを課題とする。【解決手段】  並列接続される複数のスクイブ１１〜１４を備える着火回路１０であって、スクイブ１１〜１４に各々接続され、他のスクイブを含む回路とは異なる共振周波数を持たせる複数の共振周波数回路１５〜１８を備え、任意のスクイブを着火させる場合、当該任意のスクイブに接続される共振周波数回路の共振周波数と同じ周波数を有する電流を供給することを特徴とする。【選択図】  図１
2005178662.tif 000002
【特許請求の範囲】
【請求項１】
並列接続される複数のスクイブと、
前記複数のスクイブに各々接続され、他のスクイブを含む回路とは異なる複数の共振周波数を持たせる共振周波数回路と
を備え、
任意のスクイブを着火させる場合、当該任意のスクイブに接続される共振周波数回路の共振周波数と同じ周波数を有する電流を供給することを特徴とする着火装置。
【請求項２】
前記共振周波数回路は、コイルとコンデンサとを並列接続した回路であることを特徴とする請求項１に記載する着火装置。
【請求項３】
並列接続される複数のスクイブと、
前記複数のスクイブに各々接続され、スクイブ毎にバイアス電圧が異なる複数のスイッチング素子と
を備え、
任意のスクイブを着火させる場合、当該任意のスクイブに接続されるスイッチング素子のバイアス電圧以上の電圧を印可することを特徴とする着火装置。
【請求項４】
各々異なる抵抗値を有し、並列接続される複数のスクイブを備え、
任意のスクイブを着火させる場合、当該任意のスクイブの抵抗値に応じて着火に必要となる電圧を印可することを特徴とする着火装置。
【発明の詳細な説明】
【技術分野】
【０００１】
本発明は、複数のスクイブを備える着火装置に関する。
【背景技術】
【０００２】
エアバック装置には、バックの内圧を変化させるもの、内圧変化によってバックの容量を変化させるもの、あるいは、複数のバックを備えるもの等がある。このようなエアバック装置は、複数のインフレータ（ガス発生室）からなるインフレータ装置を備えており、各インフレータでガスをそれぞれ発生させることによってバックの内圧の変化や複数のバックに対応している。このインフレータ装置は、各インフレータに対応したスクイブが並列接続される着火回路を備えており、あるスクイブが着火すると対応するインフレータでガスを発生する（特許文献１参照）。そのため、ＥＣＵ[Electronic Control Unit]では、複数のスクイブに対する着火制御を行い、各スクイブに対して着火電流をそれぞれ供給する。
【特許文献１】特開２００３−２２６２２３号公報
【特許文献２】特開平１０−１５７５６０号公報
【特許文献３】特開平９−５８４００号公報
【発明の開示】
【発明が解決しようとする課題】
【０００３】
しかしながら、複数のスクイブが並列接続される着火回路の場合、ＥＣＵから各スクイブに対して電流をそれぞれ供給しなければならないので、ＥＣＵと着火回路との間の配線がスクイブの個数分必要となる。そのため、その多数本の配線によって、重量が増え、コストも増加する。さらに、配線スペースの確保や搭載するための工数も必要となる。
【０００４】
そこで、本発明は、複数のスクイブを備える場合、スクイブの個数分の配線を必要としない着火装置を提供することを課題とする。
【課題を解決するための手段】
【０００５】
本発明に係る着火装置は、並列接続される複数のスクイブと、複数のスクイブに各々接続され、他のスクイブを含む回路とは異なる共振周波数を持たせる複数の共振周波数回路とを備え、任意のスクイブを着火させる場合、当該任意のスクイブに接続される共振周波数回路の共振周波数と同じ周波数を有する電流を供給することを特徴とする。
【０００６】
この着火装置では、複数のスクイブが並列接続されており、各スクイブに共振周波数回路がそれぞれ接続されている。各共振周波数回路は、スクイブ毎に異なる共振周波数を有する回路であり、その共振周波数と同じ周波数の電流が供給されると電流を流し、それ以外の電流が供給されると電流の流れを遮断する。そのため、任意のスクイブを着火するためには、そのスクイブに接続される共振周波数回路の共振周波数と同じ周波数を有する電流を供給しなければならない。すなわち、スクイブが並列接続されている回路にある共振周波数と同じ周波数を有する電流を供給することによって、特定のスクイブのみを着火することができる。したがって、制御装置によって着火装置の複数のスクイブを着火制御する場合、制御装置から周波数を変化させた電流を供給することによって複数のスクイブを選択的に着火できる。そのため、制御装置と着火装置との間の配線としては、複数のスクイブにそれぞれ必要なく、並列回路に対して１組だけで構成でき、配線の本数を非常に少なくできる。その結果、配線による重量やコストを低減でき、配線するためのスペースや搭載する際の工数も低減できる。
【０００７】
なお、共振周波数と同じ周波数を有する電流は、その周波数のみからなる電流でもよいし、その周波数以外の周波数も加算された複数の周波数成分からなる電流でもよい。したがって、２つ以上のスクイブを着火したい場合、その各スクイブに対応する複数の共振周波数と同じ周波数を加算した周波数成分をからなる電流を供給すればよい。
【０００８】
本発明の上記着火装置では、共振周波数回路は、コイルとコンデンサとを並列接続した回路であると好適である。
【０００９】
この着火装置では、所定のコイルと所定のコンデンサとを組み合わせて並列接続すると特定の共振周波数を有するので、非常に簡単な構成で共振周波数回路を構築できる。
【００１０】
本発明に係る着火装置は、並列接続される複数のスクイブと、複数のスクイブに各々接続され、スクイブ毎にバイアス電圧が異なる複数のスイッチング素子とを備え、任意のスクイブを着火させる場合、当該任意のスクイブに接続されるスイッチング素子のバイアス電圧以上の電圧を印可することを特徴とする。
【００１１】
この着火装置では、複数のスクイブが並列接続されており、各スクイブにスイッチング素子がそれぞれ接続されている。各スイッチング素子は、スクイブ毎に異なるバイアス電圧を有しており、そのバイアス電圧以上の電圧が印可されるとオンして電流が流れ、バイアス電圧未満の電圧が印可されるとオフして電流が流れない。そのため、任意のスクイブを着火するためには、そのスクイブに接続されるスイッチング素子のバイアス電圧以上の電圧を印可しなければならない。すなわち、スクイブが並列接続されている回路にあるバイアス電圧以上の電圧を印可することによって、特定のスクイブを着火することができる。ちなみに、供給する電圧が２個以上のスイッチング素子のバイアス電圧以上の場合、その２個以上のスイッチング素子に接続されている全てのスクイブが着火する。したがって、制御装置によって着火装置の複数のスクイブを着火制御する場合、制御装置から電圧値を変化させた電圧を印可することによって複数のスクイブを選択的に着火できる。そのため、制御装置と着火装置との間の配線としては、複数のスクイブにそれぞれ必要なく、配線の本数を非常に少なくできる。
【００１２】
なお、スイッチング素子としては、ダイオード、トランジスタ、ＦＥＴ[Field Effect Transistor]等がある。トランジスタやＦＥＴの場合、駆動電源用の配線も必要となる。
【００１３】
本発明に係る着火装置は、各々異なる抵抗値を有し、並列接続される複数のスクイブを備え、任意のスクイブを着火させる場合、当該任意のスクイブの抵抗値に応じて着火に必要となる電圧を印可することを特徴とする。
【００１４】
この着火装置では、複数のスクイブが並列接続されている。各スクイブは、それぞれ異なる抵抗値を有しており、着火するためには所定の熱量が必要である。各スクイブは抵抗値が異なるので、並列回路に所定の電圧を印可すると、スクイブ毎に発熱量（＝［印可電圧の二乗／各抵抗値］）が異なる。そのため、任意のスクイブを着火するためには、そのスクイブの抵抗値に応じた電圧を印可しなければならない。すなわち、スクイブが並列接続されている回路にある電圧を印可することによって、特定のスクイブを着火することができる。ちなみに、供給する電圧によって２個以上のスクイブで着火可能な熱量を発生する場合、その２個以上のスクイブが全て着火する。したがって、制御装置によって着火装置の複数のスクイブを着火制御する場合、制御装置から電圧値を変化させた電圧を印可することによって複数のスクイブを選択的に着火できる。そのため、制御装置と着火装置との間の配線としては、複数のスクイブにそれぞれ必要なく、配線の本数を非常に少なくできる。また、この着火回路は、スクイブを選択着火するために、スクイブ以外の素子を必要としないので、構成を非常に簡単化できる。
【発明の効果】
【００１５】
本発明によれば、スクイブの個数分の配線を必要とせず、配線の本数を非常に少なくできる。
【発明を実施するための最良の形態】
【００１６】
以下、図面を参照して、本発明に係る着火装置の実施の形態を説明する。
【００１７】
本実施の形態では、本発明に係る着火装置を、バック内圧を可変とするエアバック装置のインフレータ装置の着火回路に適用する。本実施の形態に係るインフレータ装置は、バック内圧の変化させる段階に対応した複数個のインフレータを備えている。本発明に係る着火回路は、各インフレータに対応してスクイブが並列接続される。本実施の形態は、５つの形態があり、第１の実施の形態では４つのスクイブに共振周波数回路が各々接続され、第２の実施の形態では２つのスクイブに共振周波数回路が各々接続され、第３の実施の形態では４つのスクイブにダイオードが各々接続され、第４の実施の形態では４つのスクイブにＦＥＴが各々接続され、第５の実施の形態では４つのスクイブの抵抗値が異なる。
【００１８】
各実施の形態に係る着火回路を説明する前に、本実施の形態に係るエアバック装置及びインフレータ装置について説明しておく。エアバック装置は、衝突の程度（厳しさ）に応じて内圧（ひいては、バック容量）を変化させることが可能なバックを備えており、このバックに複数段階でガスを供給可能なインフレータ装置を備える。インフレータ装置は、複数（４つ又は２つ）のインフレータからなる多段インフレータであり、複数のインフレータにそれぞれ対応したスクイブを有する着火回路を備えている。また、エアバック装置は、衝突感知センサ１及びＥＣＵ２を備えている（図１等参照）。衝突感知センサ１は、車両衝突の程度（厳しさ）を感知するセンサであり、例えば、車両の加速度を検出するセンサである。ＥＣＵ２は、ＣＰＵ[Central Processing Unit]、ＲＯＭ[Read Only Memory]、ＲＡＭ[Random Access Memory]等からなる電子制御ユニットであり、エアバック装置の制御装置として機能する。ＥＣＵ２では、衝突信号ＳＳに基づいてバックの内圧の段階を判定し、判定した段階に応じてガスを発生するインフレータ（すなわち、着火させるスクイブ）を選択する。
【００１９】
図１を参照して、第１の実施の形態に係る着火回路１０について説明する。図１は、第１の実施の形態に係る着火回路の回路図である。
【００２０】
着火回路１０では、４つのインフレータに対応して第１スクイブ１１、第２スクイブ１２、第３スクイブ１３、第４スクイブ１４を備えており、４つのスクイブ１１〜１４が並列接続される。さらに、着火回路１０では、第１スクイブ１１の一端に第１共振周波数回路１５が、第２スクイブ１２の一端に第２共振周波数回路１６が、第３スクイブ１３の一端に第３共振周波数回路１７が、第４スクイブ１４の一端に第４共振周波数回路１８が直列に接続される。そして、着火回路１０では、第１〜第４共振周波数回路１５〜１８の一端が全て接続され、第１〜第４スクイブ１１〜１４の他端が全て接続され、並列回路が構成される。各スクイブ１１〜１４には、接続する共振周波数回路１５〜１８が電流を流すと電流が供給される。そして、着火回路１０では、スクイブ１１〜１４に所定量の電流が流れると、その電流が流れたスクイブのみが着火する。
【００２１】
各共振周波数回路１５〜１８では、コイル１５ａ，１６ａ，１７ａ，１８ａ及びコンデンサ１５ｂ，１６ｂ，１７ｂ，１８ｂを備えており、コイル１５ａ，１６ａ，１７ａ，１８ａとコンデンサ１５ｂ，１６ｂ，１７ｂ，１８ｂとが並列接続される。共振周波数回路１５〜１８は、各スクイブ１１〜１４に対応して共振周波数（例えば、１００Ｈｚ、２００Ｈｚ、３００Ｈｚ、４００Ｈｚ）がそれぞれ設定されており、設定された共振周波数となるようなコンデンサとコイルの組合せが選択されている。つまり、共振周波数回路１５〜１８は、コンデンサとコイルの組合せがそれぞれ異なっており、異なる共振周波数をそれぞれ有している。各共振周波数回路１５〜１８では、共振周波数と同じ周波数を含む周波数成分を有する電流が供給されると電流を流し、共振周波数と同じ周波数を含まない周波数成分を有する電流が供給されると電流の流れを遮断する。
【００２２】
したがって、着火回路１０では、第１共振周波数回路１５の共振周波数と同じ周波数の電流が供給されると第１スクイブ１１に電流が流れ、第２共振周波数回路１６の共振周波数と同じ周波数の電流が供給されると第２スクイブ１２に電流が流れ、第３共振周波数回路１７の共振周波数と同じ周波数の電流が供給されると第３スクイブ１３に電流が流れ、第４共振周波数回路１８の共振周波数と同じ周波数の電流が供給されると第４スクイブ１４に電流が流れる。また、着火回路１０では、４つの共振周波数回路１５〜１８のうちの複数の共振周波数回路の各共振周波数と同じ周波数を全て含む周波数成分（複数の周波数が加算された周波数成分）を有する電流が供給されると、その複数の共振周波数回路にそれぞれ接続される全てのスクイブに電流が流れる。したがって、着火回路１０に周波数成分を変化させた電流を供給することによって、４つのスクイブ１１〜１４を選択的に着火することができる。
【００２３】
第１の実施の形態では、ＥＣＵ２は、周波数成分を変化させた電流を供給することができる。ＥＣＵ２では、衝突信号ＳＳに基づいて着火するスクイブを決定すると、決定したスクイブが１つの場合にはそのスクイブに対応付けられている共振周波数と同じ周波数を有する電流を着火回路１０に供給し、着火するスクイブが複数ある場合にはその複数のスクイブにそれぞれ対応付けられている共振周波数と同じ周波数を全て加算した周波数成分を有する電流を着火回路１０に供給する。
【００２４】
ＥＣＵ２から着火回路１０へは所定の周波数成分を有する電流を供給できればよいので、ＥＣＵ２と着火回路１０との間には着火回路１０の並列回路の両端にそれぞれ１本の配線３ａ，３ｂが施される。
【００２５】
着火回路１０における動作について説明する。ここでは、第１スクイブ１１のみを着火させる場合と全てのスクイブ１１〜１４を着火させる場合について説明する。
【００２６】
第１スクイブ１１のみを着火させる場合について説明する。ＥＣＵ２では、衝突信号ＳＳに基づいて第１スクイブ１１のみを着火させると判定した場合、第１共振周波数回路１５の共振周波数と同じ周波数（例えば、１００Ｈｚ）を有する電流を着火回路１０に供給する。すると、着火回路１０では、第１共振周波数回路１５でのみ電流を流すので、第１スクイブ１１に電流が流れ、第１スクイブ１１が着火する。第１スクイブ１１が着火すると、その対応する第１インフレータのみでガスを発生する。この場合、１つのインフレータによりバックが膨張するので、バックの内圧は最小となる。
【００２７】
全てのスクイブ１１〜１４を着火させる場合について説明する。ＥＣＵ２では、衝突信号ＳＳに基づいて全てのスクイブ１１〜１４を着火させると判定した場合、共振周波数回路１５〜１８の全ての共振周波数と同じ周波数を加算した周波数成分（例えば、１００Ｈｚ＋２００Ｈｚ＋３００Ｈｚ＋４００Ｈｚの周波数成分）を有する電流を着火回路１０に供給する。すると、着火回路１０では、全ての共振周波数回路１５〜１８で電流を流すので、全てのスクイブ１１〜１４に電流が流れ、全てのスクイブ１１〜１４が着火する。スクイブ１１〜１４が着火すると、４つのインフレータでガスを発生する。この場合、４つのインフレータによりバックが膨張するので、バックの内圧は最大となる。
【００２８】
着火回路１０によれば、４つのスクイブ１１〜１４を着火させるために周波数成分を変化させた電流を供給すればよいので、ＥＣＵ２との間の配線がその電流を供給するための１組の配線だけでよい。そのため、配線による重量やコストを削減でき、配線スペースも省スペース化でき、配線する際の工数も低減できる。
【００２９】
図２及び図３を参照して、第２の実施の形態に係る着火回路２０について説明する。図２は、第２の実施の形態に係る着火回路の回路図である。図３は、図２の着火回路に供給する電流の波形であり、（ａ）が第１スクイブを着火するための電流波形であり、（ｂ）が第２スクイブを着火するための電流波形であり、（ｃ）が第１スクイブ及び第２スクイブを着火するための電流波形である。
【００３０】
着火回路２０では、２つのインフレータに対応して第１スクイブ２１、第２スクイブ１２を備えており、２つのスクイブ２１，２２が並列接続される。さらに、着火回路２０では、第１スクイブ２１の一端にコイル２５が直列に接続され、第２スクイブ２２の一端にコンデンサ２６が直列に接続される。そして、着火回路２０では、コイル２５の一端とコンデンサ２６の一端とが接続され、第１スクイブ２１の他端と第２スクイブ２２の他端とが接続され、並列回路が構成される。第１スクイブ２１には、コイル２５が電流を流すと電流が供給される。一方、スクイブ２２には、コンデンサ２６が電流を流すと電流が供給される。そして、着火回路２０では、スクイブ２１，２２に所定量の電流が流れると、その電流が流れたスクイブのみが着火する。
【００３１】
コイル２５は、直流電流を流し、交流電流の流さない。また、コイル２５は、コンデンサが無い場合の共振周波数回路と見なすことができ、共振周波数としては０Ｈｚとなる。一方、コンデンサ２６は、交流電流を流し、直流電流の流さない。また、コンデンサ２６は、コイルが無い場合の共振周波数回路と見なすことができ、共振周波数としてはコンデンサ２６だけで決まる周波数となる。したがって、着火回路２０では、直流電流が供給されると第１スクイブ２１に電流が流れ（図３（ａ）参照）、コンデンサ２６で決まる共振周波数と同じ周波数の電流が供給されると第２スクイブ２２に電流が流れる（図３（ｂ）参照）。また、着火回路２０では、その直流電流とコンデンサ２６で決まる共振周波数と同じ周波数の電流とが加算された電流が供給されると、第１スクイブ２１及び第２スクイブ２２に電流が流れる（図３（ｃ）参照）。
【００３２】
なお、第２の実施の形態では、ＥＣＵ２は、第１の実施の形態と同様のＥＣＵであり、制御対象のスクイブの数と供給する電流の周波数成分が異なる。また、ＥＣＵ２と着火回路２０との間の配線も、第１の実施の形態と同様である。
【００３３】
着火回路２０における動作について説明する。ここでは、第１スクイブ２１のみを着火させる場合、第２スクイブ２２のみを着火させる場合と全てのスクイブ２１，２２を着火させる場合について説明する。
【００３４】
第１スクイブ２１のみを着火させる場合について説明する。ＥＣＵ２では、衝突信号ＳＳに基づいて第１スクイブ１１のみを着火させると判定した場合、直流電流を着火回路２０に供給する（図３（ａ）参照）。すると、着火回路２０では、コイル２５が電流を流すが、コンデンサ２６が電流の流れを遮断するので、第１スクイブ２１にのみ電流が流れ、第１スクイブ２１が着火する。第１スクイブ２１が着火すると、第１インフレータでガスを発生し、第１インフレータのみよるバックの内圧となる。
【００３５】
第２スクイブ２２のみを着火させる場合について説明する。ＥＣＵ２では、衝突信号ＳＳに基づいて第２スクイブ２１のみを着火させると判定した場合、コンデンサ２６のみによる共振周波数と同じ周波数を有する電流を着火回路２０に供給する（図３（ｂ）参照）。すると、着火回路２０では、コンデンサ２６が電流を流すが、コイル２５が電流の流れを遮断するので、第２スクイブ２２にのみ電流が流れ、第２スクイブ２２が着火する。第２スクイブ２２が着火すると、第２インフレータでガスを発生し、第２インフレータのみよるバックの内圧となる。
【００３６】
全てのスクイブ２１，２２を着火させる場合について説明する。ＥＣＵ２では、衝突信号ＳＳに基づいて第１スクイブ２２及び第２スクイブ２１を着火させると判定した場合、コンデンサ２６のみによる共振周波数と同じ周波数を有する電流に直流電流を加算した電流を着火回路２０に供給する（図３（ｃ）参照）。すると、着火回路２０では、コイル２５及びコンデンサ２６が電流を流すので、第１スクイブ２１及び第２スクイブ２２に電流が流れ、第１スクイブ２１及び第２スクイブ２２が着火する。スクイブ２１，２２が着火すると、２つのインフレータでガスを発生し、バックの内圧が最大となる。
【００３７】
着火回路２０によれば、第１の実施の形態に係る作用効果に加え、共振周波数回路を最も単純な構成としているので、素子数を削減できる。
【００３８】
図４を参照して、第３の実施の形態に係る着火回路３０について説明する。図４は、第３の実施の形態に係る着火回路の回路図である。
【００３９】
着火回路３０では、第１の実施の形態と同様に、４つのインフレータに対応して第１〜第４スクイブ３１〜３４が並列接続される。さらに、着火回路３０では、第１スクイブ３１の一端に第１ダイオード３５のカソードが、第２スクイブ３２の一端に第２ダイオード３６のカソードが、第３スクイブ３３の一端に第３ダイオード３７のカソードが、第４スクイブ３４の一端に第４ダイオード３８のカソードが接続される。そして、着火回路３０では、第１〜第４ダイオード３５〜３８のアノードが全て接続され、第１〜第４スクイブ３１〜３４の他端が全て接続され、並列回路が構成される。各スクイブ３１〜３４には、接続するダイオード３５〜３８のアノードからカソードに（順方向に）電流が流れると電流が供給される。
【００４０】
各ダイオード３５〜３８は、各スクイブ３１〜３４に対応して異なるバイアス電圧を有している。バイアス電圧は、第１ダイオード３５が最も低く、第１ダイオード３５から順にバイアス電圧が高くなる（例えば、１Ｖ、２Ｖ、３Ｖ、４Ｖ）。バイアス電圧は、ダイオードの順方向に電流が流れるために必要な電圧である。したがって、各ダイオード３５〜３８では、端子間にバイアス電圧以上の電圧が印可されると順方向に電流が流れ、バイアス電圧未満の電圧が印可されると電流の流れを遮断する。
【００４１】
したがって、着火回路３０では、第１ダイオード３５のバイアス電圧以上かつ第２ダイオード３６のバイアス電圧未満の電圧が印可されると第１スクイブ３１に電流が流れ、第２ダイオード３６のバイアス電圧以上かつ第３ダイオード３７のバイアス電圧未満の電圧が印可されると第１スクイブ３１及び第２スクイブ３２に電流が流れ、第３ダイオード３７のバイアス電圧以上かつ第４ダイオード３８のバイアス電圧未満の電圧が印可されると第１〜第３スクイブ３１〜３３に電流が流れ、第４ダイオード３８のバイアス電圧以上の電圧が印可されると第１〜第４スクイブ３１〜３４に電流が流れる。つまり、着火回路３０に所定電圧を印可することによって、その所定電圧より低いバイアス電圧のダイオードに接続するスクイブを選択的に着火することができる。
【００４２】
第３の実施の形態では、ＥＣＵ２は、任意の電圧を印可することができる。ＥＣＵ２では、衝突信号ＳＳに基づいて着火するスクイブを決定すると、決定したスクイブに接続するダイオードのバイアス電圧（または、それ以上の電圧）を着火回路３０に印可する。この場合、決定したスクイブに接続するダイオードのバイアス電圧より低いバイアス電圧のダイオードに接続するスクイブも着火することになる。また、ＥＣＵ２から着火回路３０へは電圧値が異なる電圧を印可できればよいので、ＥＣＵ２と着火回路３０との間には、第１の実施の形態と同様に、着火回路３０の並列回路の両端にそれぞれ１本の配線３ａ，３ｂが施される。
【００４３】
着火回路３０における動作について説明する。ここでは、第１スクイブ３１のみを着火させる場合と全てのスクイブ３１〜３４を着火させる場合について説明する。
【００４４】
第１スクイブ３１のみを着火させる場合について説明する。ＥＣＵ２では、衝突信号ＳＳに基づいて第１スクイブ３１のみを着火させると判定した場合、第１ダイオード３５のバイアス電圧と同じ電圧（例えば、１Ｖ）を着火回路３０に印可する。すると、着火回路３０では、第１ダイオード３５のみ順方向に電流が流れ、第１スクイブ３１に電流が流れ、第１スクイブ３１が着火する。
【００４５】
全てのスクイブ３１〜３４を着火させる場合について説明する。ＥＣＵ２では、衝突信号ＳＳに基づいて第４スクイブ３４まで着火させると判定した場合、第４ダイオード３８のバイアス電圧と同じ電圧（例えば、４Ｖ）を着火回路３０に印可する。すると、着火回路３０では、全てのダイオード３５〜３８で順方向に電流が流れ、全てのスクイブ３１〜３４に電流が流れ、全てのスクイブ３１〜３４が着火する。
【００４６】
着火回路３０によれば、４つのスクイブ３１〜３４を着火させるために電圧値を変化させた電圧を印可すればよいので、ＥＣＵ２との間の配線がその電圧を印可するための１組の配線だけでよい。また、着火回路３０では、印可電圧を変えることによって、着火させるスクイブの個数を調整することができる
図５を参照して、第４の実施の形態に係る着火回路４０について説明する。図５は、第４の実施の形態に係る着火回路の回路図である。
【００４７】
着火回路４０では、第１の実施の形態と同様に、４つのインフレータに対応して第１〜第４スクイブ４１〜４４が並列接続される。さらに、着火回路４０では、第１スクイブ４１の一端に第１ＦＥＴ４５のソースが、第２スクイブ４２の一端に第２ＦＥＴ４６のソースが、第３スクイブ４３の一端に第３ＦＥＴ４７のソースが、第４スクイブ４４の一端に第４ＦＥＴ４８のソースが接続される。そして、着火回路４０では、第１〜第４ＦＥＴ４５〜４８のゲートが全て接続され、第１〜第４スクイブ４１〜４４の他端が全て接続され、並列回路が構成される。各スクイブ４１〜４４には、接続するＦＥＴ４５〜４８がオンしてドレイン−ソース間に電流が流れると電流が供給される。
【００４８】
各ＦＥＴ４５〜４８は、各スクイブ４１〜４４に対応して異なるバイアス電圧を有している。バイアス電圧は、第１ＦＥＴ４５のバイアス電圧が最も低く、第１ＦＥＴ４５から順にバイアス電圧が高くなる（例えば、１Ｖ、２Ｖ、３Ｖ、４Ｖ）。バイアス電圧は、ＦＥＴがオンするために必要な電圧であり、ＦＥＴのゲートにバイアス電圧以上の電圧が印可されるとＦＥＴがオンしてドレイン−ソース間に電流が流れ、バイアス電圧未満の電圧が印可されるとＦＥＴがオフしてドレイン−ソース間に電流が流れない。なお、ドレイン−ソース間に電流を流すために、ＦＥＴ４５〜４８のドレインが全て接続され、ＥＣＵ２から駆動電圧が印可される。
【００４９】
したがって、着火回路４０では、第１ＦＥＴ４５のバイアス電圧以上かつ第２ＦＥＴ４６のバイアス電圧未満の電圧が印可されると第１スクイブ４１に電流が流れ、第２ＦＥＴ４６のバイアス電圧以上かつ第３ＦＥＴ４７のバイアス電圧未満の電圧が印可されると第１スクイブ４１及び第２スクイブ４２に電流が流れ、第３ＦＥＴ４７のバイアス電圧以上かつ第４ＦＥＴ４８のバイアス電圧未満の電圧が印可されると第１〜第３スクイブ４１〜４３に電流が流れ、第４ＦＥＴ４８のバイアス電圧以上の電圧が印可されると第１〜第４スクイブ４１〜４４に電流が流れる。つまり、着火回路４０に所定電圧を印可することによって、その所定電圧より低いバイアス電圧のＦＥＴに接続するスクイブを選択的に着火することができる。
【００５０】
第４の実施の形態のＥＣＵ２は、第３の実施の形態と同様のＥＣＵである。また、ＥＣＵ２から着火回路４０へは電圧値が異なる電圧を印可できればよいので、ＥＣＵ２と着火回路４０との間には、着火回路４０の並列回路の両端にそれぞれ１本の配線３ａ，３ｂが施され、さらに、ＦＥＴの駆動電圧を印可するためにＦＥＴのドレインに接続される配線３ｃも施される。
【００５１】
着火回路４０における動作について説明する。ここでは、第１スクイブ４１のみを着火させる場合と全てのスクイブ４１〜４４を着火させる場合について説明する。
【００５２】
第１スクイブ４１のみを着火させる場合について説明する。ＥＣＵ２では、衝突信号ＳＳに基づいて第１スクイブ４１のみを着火させると判定した場合、第１ＦＥＴ４５のバイアス電圧と同じ電圧（例えば、１Ｖ）を着火回路４０に印可する。すると、着火回路４０では、第１ＦＥＴ４５のみがオンし、ドレイン−ソース間に電流が流れ、第１スクイブ４１に電流が流れ、第１スクイブ４１が着火する。
【００５３】
全てのスクイブ４１〜４４を着火させる場合について説明する。ＥＣＵ２では、衝突信号ＳＳに基づいて第４スクイブ４４まで着火させると判定した場合、第４ＦＥＴ４８のバイアス電圧と同じ電圧（例えば、４Ｖ）を着火回路４０に印可する。すると、着火回路４０では、全てのＦＥＴ４５〜４８がオンし、ドレイン−ソース間にそれぞれ電流が流れ、全てのスクイブ４１〜４４に電流が流れ、全てのスクイブ４１〜４４が着火する。
【００５４】
着火回路４０によれば、第３の実施の形態に係る着火回路３０と同様の作用効果を有する。なお、着火回路４０の場合、ＦＥＴの駆動電源用の配線が別に１本必要となる。
【００５５】
図６を参照して、第５の実施の形態に係る着火回路５０について説明する。図６は、第５の実施の形態に係る着火回路の回路図である。
【００５６】
着火回路５０では、第１の実施の形態と同様に、４つのインフレータに対応して第１〜第４スクイブ５１〜５４が並列接続される。各スクイブ５１〜５４は、異なる抵抗値を有している。抵抗値は、第１スクイブ５１の抵抗値が最も低く、第１スクイブ５１から順に抵抗値が大きくなる。第１〜第４スクイブ５１〜５４は、並列に接続されているので、ＥＣＵ２から電圧を印可すると両端には全て同じ電圧がかかる。したがって、各スクイブ５１〜５４で発生する熱量は、（印可電圧の２乗／各抵抗値）となってそれぞれ異なり、第１スクイブ５１の熱量が最も多くなる。また、第１〜第４スクイブ５１〜５４は、所定の熱量を超えると着火する。この所定の熱量は、第１〜第４スクイブ５１〜５４において全て同じ熱量である。そのため、着火回路５０では、印可される電圧が増加するにつれて、第１〜第４スクイブ５１〜５４の順に着火する。
【００５７】
したがって、着火回路５０では、第１スクイブ５１が着火可能な電圧以上かつ第２スクイブ５２が着火可能な電圧未満の電圧が印可されると第１スクイブ５１に電流が流れ、第２スクイブ５２が着火可能な電圧以上かつ第３スクイブ５３が着火可能な電圧未満の電圧が印可されると第１スクイブ５１及び第２スクイブ５２に電流が流れ、第３スクイブ５３が着火可能な印可電圧以上かつ第４スクイブ５４が着火可能な電圧未満の電圧が印可されると第１〜第３スクイブ５１〜５３に電流が流れ、第４スクイブ５４が着火可能な印可電圧以上の電圧が印可されると第１〜第４スクイブ５１〜５４に電流が流れる。つまり、着火回路５０に所定電圧を印可することによって、その所定電圧により着火可能な熱量を発生するスクイブを選択的に着火することができる。
【００５８】
第５の実施の形態のＥＣＵ２は、第３の実施の形態と同様のＥＣＵである。また、ＥＣＵ２から着火回路５０へは電圧値が異なる電圧を印可できればよいので、ＥＣＵ２と着火回路５０との間の配線も、第３の実施の形態と同様である。
【００５９】
着火回路５０における動作について説明する。ここでは、第１スクイブ５１のみを着火させる場合と全てのスクイブ５１〜５４を着火させる場合について説明する。
【００６０】
第１スクイブ５１のみを着火させる場合について説明する。ＥＣＵ２では、衝突信号ＳＳに基づいて第１スクイブ５１のみを着火させると判定した場合、第１スクイブ５１のみが着火可能な熱量を発することができる電圧を着火回路５０に印可する。すると、着火回路５０では、第１スクイブ５１のみが着火可能な熱量を超え、第１スクイブ５１が着火する。
【００６１】
全てのスクイブ５１〜５４を着火させる場合について説明する。ＥＣＵ２では、衝突信号ＳＳに基づいて第４スクイブ５４まで着火させると判定した場合、第４スクイブ５４まで着火可能な熱量を発することができる電圧を着火回路５０に印可する。すると、着火回路５０では、全てのスクイブ５１〜５４が着火可能な熱量を超え、全てのスクイブ５１〜５４が着火する。
【００６２】
着火回路５０によれば、第３の実施の形態と同様の作用効果を有する上に、ダイオード等のスイッチング素子を必要としないので、部品点数を削減でき、構成を非常に簡素化できる。
【００６３】
以上、本発明に係る実施の形態について説明したが、本発明は上記実施の形態に限定されることなく様々な形態で実施される。
【００６４】
例えば、本実施の形態ではエアバック装置に適用したが、複数のスクイブが並列接続される着火装置を具備する他の装置（例えば、プリテンショナー）にも適用可能である。また、本実施の形態ではバックの内圧を変化させるエアバック装置に適用したが、主バックと副バック等の複数のバックを備えるエアバック装置にも適用可能である。
【００６５】
また、本実施の形態ではスクイブが４つまたは２つが並列接像される場合に適用したが、スクイブの数は特に限定しない。
【００６６】
また、本実施の形態では衝突感知センサによる衝突の程度に基づいてどのスクイブで着火させるか（すなわち、どのインフレータでガスを発生させるか）を判定する構成としたが、体格感知センサによる乗員の体格に基づいてどのスクイブで着火させるかを判定してもよい。
【００６７】
また、本実施の形態ではスイッチング素子としてダイオードとＦＥＴを適用したが、トランジスタ等の他のスイッチング素子も適用可能である。
【図面の簡単な説明】
【００６８】
【図１】第１の実施の形態に係る着火回路の回路図である。
【図２】第２の実施の形態に係る着火回路の回路図である。
【図３】図２の着火回路に供給する電流の波形であり、（ａ）が第１スクイブを着火するための電流波形であり、（ｂ）が第２スクイブを着火するための電流波形であり、（ｃ）が第１スクイブ及び第２スクイブを着火するための電流波形である。
【図４】第３の実施の形態に係る着火回路の回路図である。
【図５】第４の実施の形態に係る着火回路の回路図である。
【図６】第５の実施の形態に係る着火回路の回路図である。
【符号の説明】
【００６９】
１…衝突感知センサ、２…ＥＣＵ、３ａ，３ｂ，３ｃ…配線、１０，２０，３０，４０，５０…着火回路、１１，２１，３１，４１，５１…第１スクイブ、１２，２２，３２，４２，５２…第２スクイブ、１３，３３，４３，５３…第３スクイブ、１４，３４，４４，５４…第４スクイブ、１５…第１共振周波数回路、１６…第２共振周波数回路、１７…第３共振周波数回路、１８…第４共振周波数回路、１５ａ〜１８ａ，２５…コイル、１５ｂ〜１８ｂ，２６…コンデンサ、３５…第１ダイオード、３６…第２ダイオード、３７…第３ダイオード、３８…第４ダイオード、４５…第１ＦＥＴ、４６…第２ＦＥＴ、４７…第３ＦＥＴ、４８…第４ＦＥＴ
【図１】
2005178662.tif 000003
【図２】
2005178662.tif 000004
【図３】
2005178662.tif 000005
【図４】
2005178662.tif 000006
【図５】
2005178662.tif 000007
【図６】
2005178662.tif 000008